(57)【要約】      （修正有）【課題】病気やけがで頭部を見せたくない方や薄毛に悩んでいる方等に、かつらとは違う精神的負担が少ない医療用の髪型帽子を提供する。【解決手段】人の頭部に被せる布の上面、前後左右の側面、及び内側に折り返された前記前後左右の側面には、人の髪型を模した髪型形状が形成されており、前記内側に折り返された前記人の頭部に被せる布の外縁部には、頭部装着部が形成されていることを特徴とする髪型帽子。【選択図】図１３
2020094313.tif 000002
【特許請求の範囲】
【請求項１】
人の頭部に被せる布の上面、前後左右の側面、及び内側に折り返された前記前後左右の側面には、人の髪型を模した髪型形状が形成されており、前記内側に折り返された前記人の頭部に被せる布の外縁部には、頭部装着部が形成されていることを特徴とする髪型帽子。
【請求項２】
前記人の頭部に被せる布の上面には、前記人の髪型を模したツムジ髪型形状部が形成されていることを特徴とする前記請求項１に記載の髪型帽子。
【請求項３】
前記人の頭部に被せる布の上面には、前記人の髪型を模した分け目髪型形状部が形成されていることを特徴とする前記請求項１又は、２のいずれか１項に記載の髪型帽子。
【請求項４】
前記前後左右の側面には、前記人の髪型を模した髪のゆらぎと前記内側に風通りを良くするための切り込みが形成されていることを特徴とする前記請求項３に記載の髪型帽子。
【請求項５】
前記内側に折り返された部位は、前記人の髪型を模した毛先部であり、前記毛先部の構成により、様々な髪型形状表現ができることを特徴とする前記請求項４に記載の髪型帽子。
【請求項６】
前記頭部装着部は、内皮材と外皮材両方に形成されており、使い勝手により前記内皮材と前記外皮材どうしは着脱できる構造で、軽量と通気性を追求し、更に伸縮性と滑りにくい素材を使い、各頭囲に合わせた形状に形成して、暑さ寒さ更にその時の体調に応じて着脱して使い分けできることを特徴とする前記請求項５に記載の髪型帽子。
【請求項７】
前記頭部装着部は、前記ツムジ髪型形状部、又は前記分け目髪型形状部と結合させて、前記人の頭部に被せる布をずれないようにすることで、前記人の髪型を模した髪の表面を安定させ綺麗な形状に表現させることを特徴とする前記請求項６に記載の髪型帽子。
【請求項８】
前記人の頭部に被せる布には、前記人の髪型を模した毛流れ形状のシワ加工が形成されており、前記ツムジ髪型形状部、又は分け目髪型形状部から、立体的な毛流れ形状と立体的な動きを表現できる毛流れ形状のシワ加工が形成されていることを特徴とする前記請求項７に記載の髪型帽子。
【請求項９】
前記人の頭部に被せる布は、前記人の髪型を模した毛流れ状の模様が印刷、又は描かれており、医療面で必要とされる模倣、又はファッション業界その他で必要とされる模様などを印刷、又は描くことにより、前記シワ加工の布にも対応して、更に前記人の髪型を模した帽子を多種多方面に提供できることを特徴とする前記請求項８に記載の髪型帽子。
【発明の詳細な説明】
【技術分野】
【０００１】  本発明は、布制で、髪型を模した形状を帽子状の形状にして、医療面に役立たせる分野。
【背景技術】
【０００２】  人の頭髪の悩みを新たな帽子の形状や機能で、解決する研究開発する分野であり、従来の帽子やターバン等では、その使用範囲や個々が持つ特徴を超える技術面は無かったので、新たなデザインと使用目的を持たせた、技術センスが、求められている背景がある。
【先行技術文献】
【特許文献】
【０００３】
【特許文献１】特開２０１４−１３９３５３号公報
【特許文献２】特開２０１２−０４６８３０号公報
【特許文献３】特開２０１２−２５１２８６号公報
【発明の概要】
【発明が解決しようとする課題】
【０００４】  病気やけがで、頭部を見せたくない方や薄毛に悩んでいる方等に、かつら、帽子、ターバン等では、補えない形状や機能及び、お洒落も提供できる髪型形状の被り物を帽子状に表現した布制の髪型帽子を提供する。かつらを被る偽りの気持ちを持つ方等にも精神的負担を軽減し、髪型と帽子の形状や機能を一体化した髪型帽子を老若男女世界中の方々に提供して前述頭部で悩んでいる方々に、本考案の髪型帽子で解決しようとするものである。
【課題を解決するための手段】
【０００５】  人の頭部に被せる布の上面、前後左右の側面、及び内側に折り返された前記前後左右の側面には、人の髪型を模した髪型形状が形成されており、前記内側に折り返された前記人の頭部に被せる布の外縁部には、頭部装着部が形成されていることを特徴とする。【０００６】  前記人の頭部に被せる布の上面には、前記人の髪型を模したツムジ髪型形状部が形成されていることを特徴とする。【０００７】  前記人の頭部に被せる布の上面には、前記人の髪型を模した分け目髪型形状部が形成されていることを特徴とする。【０００８】  前記前後左右の側面には、前記人の髪型を模した髪のゆらぎと前記内側に風通りを良くするための切り込みが形成されていることを特徴とする。【０００９】  前記内側に折り返された部位は、前記人の髪型を模した毛先部であり、前記毛先部の構成により、様々な髪型形状表現ができることを特徴とする。【００１０】  前記頭部装着部は、内皮材と外皮材両方に形成されており、使い勝手により前記内皮材と前記外皮材どうしは着脱できる構造で、軽量と通気性を追求し、更に伸縮性と滑りにくい素材を使い、各頭囲に合わせた形状に形成して、暑さ寒さ更にその時の体調に応じて着脱して使い分けできることを特徴とする。【００１１】  前記頭部装着部は、前記ツムジ髪型形状部、又は前記分け目髪型形状部と結合させて、前記人の頭部に被せる布をずれないようにすることで、前記人の髪型を模した髪の表面を安定させ綺麗な形状に表現させることを特徴とする。【００１２】  前記人の頭部に被せる布には、前記人の髪型を模した毛流れ形状のシワ加工が形成されており、前記ツムジ髪型形状部、又は分け目髪型形状部から、立体的な毛流れ形状と立体的な動きを表現できる毛流れ形状のシワ加工が形成されていることを特徴とする。【００１３】  前記人の頭部に被せる布は、前記人の髪型を模した毛流れ状の模様が印刷、又は描かれており、医療面で必要とされる模倣、又はファッション業界その他で必要とされる模様などを印刷、又は描くことにより、前記シワ加工の布にも対応して、更に前記人の髪型を模した帽子を多種多方面に提供できることを特徴とする。
【発明の効果】
【００１４】  従来の帽子等を、部屋の中でファッションとして被る本人は良いとしても身勝手でマナー違反だと感じる方は、時と場所にもよりますがいます。髪型と帽子の形状と機能をもつ髪型帽子なら部屋の中でも野外でも、かつらのように装うことも、帽子のように日差しをさけることもできる。更に医療面では、使用する頻度も多く、被る時間も長く、室内外の移動の際にも気を使いがち、そのわずらわしさを軽減できる効果をもつ髪型帽子である。【００１５】  布制なので、洗濯も楽で常に清潔、豊富な布で制作でき医療用帽子としては、被り心地も布素材感も楽しめる。ＴＰＯの各服装等に合わせた布で、制作できる利点もある。かつらに抱く偽りの気持ちを持たずに、周知させることもできる効果をもつ髪型帽子である。
【図面の簡単な説明】
【００１６】
【図１】内皮材とするキャップを模式的に示した正面図である。
【図２】図１を模式的に示した左側面図である。
【図３】図１を模式的に示した右側面図である。
【図４】図１を模式的に示した後側の図面である。
【図５】外皮材である髪型の形状を模式的に示した正面図である。
【図６】図５を模式的に示した左側面図である。
【図７】図５を模式的に示した右側面図である。
【図８】図５を模式的に示した後側の図面である。
【図９】内皮材符号Ｐと外皮材符号Ｆを結合させた髪型帽子の模式的正面図である。
【図１０】図９を模式的に示した左側面図である。
【図１１】図９を模式的に示した右側面図である。
【図１２】図９を模式的に示した後側の図面である。
【図１３】図９の髪型帽子を、人間が頭部にかぶった状態の模式的正面図である。
【図１４】図１３を模式的に示した左側面図である。
【図１５】図１３を模式的に示した右側面図である。
【図１６】図１３を模式的に示した後側の図面である。
【図１７】外皮材２枚目の布に切り込みを２つとした模式的正面図（Ａ）と切り込みを６つ入れた模式的正面図（Ｂ）。
【図１８】図１７（Ａ）、（Ｂ）を模式的に示した左側面図。
【図１９】外皮材３枚目の切り込みから２枚目の切り込みの布を、引き出した模式的左側面図（Ａ）と、前記引き出しを３つ作った場合の模式的左側面図（Ｂ）。
【図２０】外皮材１枚目の布に、切り込みを入れた模式的正面図。
【図２１】外皮材１枚目の布に、切り込みを入れた模式的左側図面。
【図２２】ツムジを入れた内まきの髪型帽子に、切り込みを入れた模式的左側面図。
【図２３】ツムジを入れ、耳出しで、前髪を上げた、短髪の髪型帽子の模式的左側面図。
【図２４】左側に分け目を入れた、男性用短髪の髪型帽子の模式的左側面図。
【図２５】前髪をおろしたところに、切り込みを入れた髪型帽子の模式的正面図。
【図２６】図２５左側面図（Ａ）前方、左側方、後方の髪型形状（Ｂ）の模式的図面。
【図２７】顔の中央で分けた髪型で、おでこ部分が見える髪型帽子の模式的正面図。
【図２８】図２７を模式的に示した左側面図。
【図２９】図１４の外皮材の布に、毛流れのシワ加工を施した模式的左側面図。
【図３０】図２４に毛流れのシワ加工を施した模式的左側面図（Ａ）と上面図（Ｂ）。
【図３１】図２３の外皮材の布に、毛流れのシワ加工を施した模式的左側面図。
【図３２】外皮材に符号Ｈ、符号Ｄ及び符号Ｋを示した模式的やや斜めの正面図。
【発明を実施するための形態】
【００１７】  実施例１、人の頭部に被せる（１枚〜数枚重ねた布又は、数枚を１枚状に重ねた布）布を上面（頭部を上から見た図３０（Ｂ）が１例であり球面のため目安であり側面と重なる部分もある）、前後左右（１例として、前側面図９、左側面図１０、右側面図１１、後側面図１２で、髪型形状を現す側面である、上面とは図３０（Ｂ）で、約こめかみ上の位置を水平に上下に分けたときに上側を上面とし、下側を側面とする）の側面（個々の髪型形状を要望に応じてデザイン創作する）及び内側に（符号Ｄ毛先部分で折り返した位置から内側を内側という）折り返された前記前後左右の側面（内側には、内側の髪型形状が形成されて１つのスタイル形状として、人の頭部に被せた布のバランス形状を取る役目があり、頭部装着部で固定し、安定させるためにも大切な形状部である）には、人の髪型を模した髪型形状が形成されており、前記内側に折り返された（符号Ｅは、表から折り返された裏側、内側になった前後左右の布の側面である）前記人の頭部に被せる布の外縁部（符号Ｅの布の縁部であり円形状にした外縁部である）には、頭部装着部（符号Ｆ、又は符号Ｐで滑りにくいゴム系素材その他、各頭部の頭囲の寸法に合わせたサイズを用意して、個々に頭部に合わせた形状を用意する）が、形成されていることを特徴とする髪型帽子である。
【００１８】  実施例２、前記人の頭部に被せる布の上面（１例として、図３０の（Ｂ）頭部の上から見える面、フロント、トップ、側面と重なる面もあるなぜなら球面状だから）には、前記人の髪型を模したツムジ（凹凸のクボミで一点の凹み「１例として図３１図３２の符号Ｋ」又は、渦を巻く形状、ツムジは、人間の場合実際に人によっては頭部中心あたり以外にも１個から数個あり髪型帽子においてもデザインに取り入れることも考えており髪型形状を豊富にデザインできる）髪型形状部（シワ加工も似せた形状にできる）が形成されていることを特徴とする髪型帽子である。
【００１９】  実施例３、前記人の頭部に被せる布の上面（上面とは、１例として、図３０（Ｂ）の頭上から頭部を見た状態の頭上の面でありこめかみ上から水平に線を引いた上を上面と定義する。頭部は曲面であり分け目形状も自然な線状がよい、シワ加工も毛流れ状にされている、更に毛流れ模様も付けて創作するとより今までにはない楽しい髪型帽子ができる。更に医療面で必要とされている帽子でありカツラとは違う布でできたカツラとして新しさを感じています）には、前記人の髪型を模した分け目（フロントから後方へ入れた線状に凹凸のクボミで左右に分けた形状に見えるように形成する。その他）髪型形状部が形成（各布の種類に応じて個々の表現ができる）されていることを特徴とする髪型帽子である。
【００２０】  実施例４、前記前後左右の側面（又は前方、後方、左側方、右側方とし、人の髪型を模した前面には顔と前髪型があり後面には後髪型があり左側面には左耳と左髪型があり右側面には右耳と右髪型がありバランス良く構成され多種多彩な布で限りなく多くの創作ができ、前髪の髪型形状、左右の髪型形状、後方の髪型形状の４側面、又は４方とする）には、前記人の髪型を模した髪のゆらぎ（風を受けてゆれ動く髪の毛、指先などでゆれ動かしたりして楽しむ事ができる）と前記内側に風通り（風通りの良い布でも暑いときなど首回りに風が更に通ると気持ち良い、主に立に切り込みを髪型デザインに応じて所定又は適当な位置、１例図２０図２１の符号Ｊ、左右に切り込み、又は切れ目を入れるのが自然で良い、その他デザインにより多数入れる場合もあるが、布の切れ目の解れ止めに縫合するなど）を良くするための切り込み（符号Ｊ）が形成されていることを特徴とする髪型帽子である。
【００２１】  実施例５、前記内側に折り返された部位（例えば紙を二つ折りに折り曲げたような部位であり、実際の毛先の様に鋭くとがっているイメージであり、図５〜図３２に符号Ｄが折り返し部の毛先部である。前記４方、又は前記４面の折り返し部の毛先部が織り成す個々の髪型の毛先部の組合せで個々に髪型のアウトラインとなり個々の髪型形状となる。本コンセプトは、布で表現した毛先の様な部分ということで毛先様部分と定義し、前記内側に折り返された部位をいう）は、前記人の髪型を模した毛先部であり、前記毛先部の構成（前後左右の各４か所の各髪型の毛先部の形状の組合せで、個々の髪型が違うように作られていくことを説明した）により、様々な髪型形状表現（布の触感を楽しみながら長い時間快適に被っていられる形状表現に心がける）ができることを特徴とする髪型帽子である。
【００２２】  実施例６、前記頭部装着部は、内皮材と外皮材両方（１つの帽子で２つの機能を備えた髪型形状を楽しめる機能を備えた髪型帽子で例えば、内皮材の方の頭部装着部は、図１〜４のキャップ状にしっかりとしたものであり、外皮材の方は、輪っか状であり更に他で説明済のワケミ、ツムジを固定するための軽くて風通しの良い構造になっているその他もある）に形成されており、使い勝手により前記内皮材と前記外皮材どうしは着脱できる構造で、軽量と通気性を追求し、更に伸縮性と滑りにくい素材を使い、各頭囲に合わせた形状に形成して、暑さ寒さ更にその時の体調（医療面で使われるさいお役にたてるようにくふうしてある）に応じて着脱して使い分けできることを特徴とする髪型帽子である。
【００２３】  実施例７、前記頭部装着部（は個々の頭のサイズ頭囲の寸法をゆうし、更に調整可能マジックテープや、額をよけた曲がりくねった変形状や楕円形状の物もある。又は円形状でも被る位置を少し後方に設定してあり、額の設置面を少なくすることで蒸れにくさを軽減し、圧迫感を減らしたり長時間到着できるように考慮した）は、前記ツムジ髪型形状部、又は前記分け目髪型形状部と結合（ぬい留めたりマジックテープで着脱も可能にしたり、内皮材符号Ｐはキャップ状、外皮材符号Ｆはベルト状、平ひも状、ピンその他などで留め、少しでも軽さを追求している。頭部装着部の形状により大きく左右される髪型帽子の部位である）させて、前記人の頭部に被せる布をずれないようにすることで、前記人の髪型を模した髪の表面を安定させ綺麗な形状に表現させることを特徴とする髪型帽子である。
【００２４】  実施例８、前記人の頭部に被せる布（多種多彩な布で好まれる髪型帽子が創れる）には、前記人の髪型を模した毛流れ形状のシワ加工が形成されており、前記ツムジ髪型形状部、又は分け目髪型形状部（実際の毛流れを模してシワ加工、更に模様も付け縫い目でも表現、１例分け目は、前方から後方へ左右に分けた形状でクボミを付けた線状であることを表現し見せる。前記ツムジも１点留めや渦巻き状にして結合、固定しクボミを付けて表現する）から、立体的な毛流れ形状と立体的な動きを表現できる毛流れ形状のシワ加工（実際の毛流れをコピーしプリント老若男女好みの毛流れを表現、更に布の種類もツヤあり他、シワ加工も付けるなどすると今までにない髪型帽子が製作でき多くの方に提供できる）が形成されていることを特徴とする髪型帽子である。
【００２５】  実施例９、前記人の頭部に被せる布は、前記人の髪型を模した毛流れ状の模様が印刷、又は描かれており（毛流れ模様を手描きで表現しオリジナリティーを強調）医療面（特に、医療面に役立つためには、精神的な面にも寄り添えられることが大切です。前記髪型を模した４側面の髪部の長さは変えられる形状であり合わせて毛流れ模様も老若男女に合わせた模様を印刷または描くことにより、個々の人に適した模様を提供でき被る楽しさも増える。髪の毛のカツラとは違う他人に偽らなくてもよい、周知さえできる、髪型帽子ができたことにより、個々の状況により、選択の幅が増えたことにより、頭部で悩んでいる方に寄り添えられたり精神面も支えられるお手伝いができると思います。）で必要とされる模倣、又はファッション業界ファッションヘアースタイル髪型帽子に関しては、世界の歴史を見てもその時代を象徴できる髪型があり、歴史を振り返るためのキーワードでもあり、歴史背景として常に重きが置かれている関心事でもあります。ですから本案件の髪型帽子においてもその創作活動においては今後、素晴らしいデザインを考案して医療面と共にファッション業界においても何らかの提案ができると楽しみにしております。）その他で必要とされる模様などを印刷、又は描くことにより、前記シワ加工の布にも対応して、更に前記人の髪型を模した帽子を多種多方面に提供できることを特徴とする髪型帽子である。
【００２６】  実施例１０、内皮材図１の符号Ｐと外皮材図５の符号Ｆの頭部装着部、及び符号Ｇと符号Ｂの分け目髪型形状部を結合させることにより図９の髪型帽子となり、前記髪型帽子を人の頭部に、被せた状態が図１３となる。前記外皮材は、頭部装着部を備えており、直接頭部に装着被ることができる。前記頭部装着部は、伸縮性と滑り止め効果をもたせた素材を使う。更に、色も髪色や肌色にしたり、それらに近い色や合う色にする。人間の髪型を模したカツラの髪型形状を、布（１枚、又は数枚を使用、例えば髪型を表現するために別の布を縫いつけてもよいし、その他付けられる素材を付けて髪型帽子を表現できる。基本は、１枚状の布にして実用性のある形状にする。参考図１７〜図１９の切り込みを入れた、その他）に代用し形成する髪型形状には、布の分け目髪型形状部符号Ｂ、又はツムジ髪型形状符号Ｋが、形成されると共に、前方の髪型形状、左側方の髪型形状、右側方の髪型形状、及び後方の髪型形状の布の髪型形状が形成され、図２６（Ｂ）前記４方の布の髪型形状を変更したい位置で（髪型の毛先部までの長さの違いにより折り返される位置符号Ｄも変わり、折り返される位置が前記髪型の毛先部であり、内側に折り返される位置が、前記４方の布の髪型形状を変更したい位置）内側に折り返し、前記内側に折り返した布の外縁部（布の縁は、円形状の外周縁部であり、外周縁部を外縁部とする）を、円形状に頭部装着部を形成することにより、前記人間の髪型を模したカツラの髪型形状（スキンヘッド、ハゲ頭、数本の髪の毛、坊主頭などの類似するような髪型は除く、一般的な各カツラメーカーが見本として本などに掲載する髪型見本を髪型帽子の髪型形状とする、又は例外もある）と同様に、着脱（被ったり脱いだりできる、この時点でも内皮材のない髪型帽子として完成されている）できることを特徴とする髪型帽子であり、前記円形状の頭部装着部、及び前記布の分け目髪型形状部、又はツムジ髪型形状部と、重なる位置で結合、又は着脱可能（マジックテープ、ひも、クリップ、ピン、その他）である内皮材を更に有していることを特徴とする髪型帽子である。内皮材、及び外皮材の頭部装着部は、軽くて風通しの良いメッシュ状のキャップ、又は平らなひも状数本でも構成できるし、前記外皮材の頭部装着部は、図５の符号Ｆのように細めのベルト状でも良い。前記４方及び、前記前後左右の側面の布の髪型形状は、頭部を４等分とし基本的には前方の髪型形状となる符号Ｒは、前髪となる三角ベース部分であり、左右の耳上の位置と頭頂部で結んだ線の前方側を更にセンターで分けた左側方面の髪型形状部符号Ｓと右側方面にある髪型形状とし、前記前方側の後側を後方の布の髪型形状部符号Ｔとし、前記４方の布の髪型形状部の分け方、見分け方の位置は、髪型形状、別名ヘアーデザインにより数センチ前後左右、更に直線状、曲線状、及びジグザグ形状その他に変わることを特徴とする髪型帽子である。
【００２７】  実施例１１、内皮材符号Ｇの上に、前記髪型の外皮材符号Ｂをかぶせその位置で結合、分け目髪型形状部のデザインと、前記外皮材をずれにくくする機能をもたせた。柔らかい布の場合、特に分け目髪型形状部符号Ｂと符号Ｇの結合部が有ると、表面部符号Ｃにかけて髪型同様のボリューム形状、シルエット及びアウトラインを実際の髪型に近づける効果がある。符号Ｄの毛先様部分は、ワンレングスカットの切り口位置図５の符号Ｄであり、グラデーションカットの髪型では、生え際下の毛髪の切り口の位置が折り返し位置、図２３の符号Ｄであり、短髪図２４の生え際側の符号Ｄが、折り返し部位置で毛先様部分となる。前記布制とは、１枚、複数枚を１枚状に重ねた布であり、頭部に被せた前記布を毛先様部分で内側に折り返し、内側に折り返した縁部に頭部装着部を形成する髪型帽子である。
【００２８】  実施例１２、布シワとは、人間の頭髪の髪の毛の流れを模した毛流れ状のプリーツ状又は、カーテンのヒダ状又は、平状から波状のシワ加工その他がある。符号ＭとＮを左右からたぐり寄せ、そのたるみシワを毛流れ状に表現する。又は、外皮材の符号ＭとＮを、左右からたぐりよせた接点をぬい留めることで毛流れ状を表現する。その内側の余分なたるみ布は取り除きもたつきを無くす。その両方を取り入れることにより複雑な毛流れ状のデザインもできる。また、事前に外皮材の布を髪型の毛流れ状にシワ加工後の符号Ｆを符号Ｐに結合させる。毛流れ状の色彩を加えると更に毛流れ表現もできる髪型帽子である。
【００２９】  実施例１３、前記外皮材の髪型の所定の位置に、ツムジ髪型形状部を設けた理由に、内まきの髪型図２２と前髪を上げた短髪の髪型帽子の図２３の場合に、内皮材符号Ｌの上に外皮材符号Ｋをかぶせた位置で結合、ぬい留めるなどして、前述その柔らかい布の場合、外皮材をずれにくくできる。その符号Ｋから符号Ｃにかけて自然な髪型形状、ボリューム形状、髪型シルエットをだせる。毛先様部分符号Ｄで内側へ折り返された外縁部に円形状の頭部装着部符号Ｆが構成されて、内皮材の外縁部の頭部装着部符号Ｐに収め重ねぬい留めることにより、髪型帽子全体が安定する。ツムジの位置や形状や数は、１点留め又は、右巻きや左巻きの渦を巻く形状を符号Ｋとして内皮材符号Ｌに結合することで、髪型のリアリティーを追求しつつ外皮材をずれにくくできる。更に、毛流れの表情も布のシワ加工や毛流れ模倣の色彩を付け加えることで、各髪型に模した髪型帽子が創作できる。従来の帽子との違いは、更に髪型形状の内側となる符号Ｅの形状と機能を有している髪型帽子としてのコンセプトがあるのに対して、従来の帽子には無い。本発明は、新たなデザイン制と使用目的を持たせた、技術センスを追求していることを特徴とする髪型帽子である。
【００３０】  実施例１４、布製で、人間の髪型を模した形状であって、その形状の毛先様部分（図５から図１６と図２２から図２８に符号Ｄの毛先様部分を示した）で、内側に折り返されて、その折り返された外縁部の円形状の頭部装着部符号Ｆが、形成されていることを特徴とする髪型帽子。例えば、髪型オールバックスタイル等の前髪の毛先様部分符号Ｄが、符号Ｃ又は、符号Ｅと同化して、折り返し部分が見えずらい場合には、毛先様部分とは分かりませんので、図２３に示した前髪の毛先様部分となる折り返し部分符号Ｄのようにしなければならないが、その他、髪型帽子において、１部の毛先様部分符号Ｄが見えづらくても、髪型帽子としたコンセプトを有していれば髪型帽子としての条件は満たす。論外としてのベレー帽の折り返し部は、丸めた形状であり、前髪や左右の髪や後髪の形状もない、そもそもコンセプトが違う、ただ丸いきのこ形状の帽子である。髪型帽子のコンセプトは、最初に髪型形状を模して帽子状に形成したところにある。従来の帽子は、従来の帽子の形状やコンセプトで存在してきた。そして今回、新たに髪型帽子のコンセプトを加えたことになる。従来の帽子には、毛先の様な部分としたコンセプトも布の分け目髪型形状部も布のツムジ髪型形状部もない。髪型帽子の毛先様部分の形状は、髪型のデザインにより直線状や曲線状、又はジグザグ状その他形状を有し、髪型に合わせた毛先様部分、符号Ｄを形成し内側に折り返している。例えば、前記外皮材図９の符号Ｄで内側に折り返されて、その折り返された外縁部の円形状の頭部装着部符号Ｆに、前記内皮材の外縁部の頭部装着部符号Ｐが、結合されて符号ＦＰと表示されていることを特徴とする髪型帽子である。
【００３１】  実施例１５、布の動きとシワを理解するには、布を引っ張る方向一端側にシワ毛流れは出てきます。その引っ張る支点一端側図２９は、分け目形状部符号Ｂから重力に向かって放射状に落ちる他端側先端符号Ｄに沿うようにできる。図３０、図３１の毛流れを布シワで表現するには、毛流れを自由に操作できなければなりません。そのシワの波を捉えて秩序ある毛流れのシワに作りあげなければなりません。引っ張りが強く布が引き寄せられているほど、ふんわりした印象になります。その際に、いろんな方向へシワが付くと綺麗な毛流れにはなりません。布のもり上がり符号Ｎ、布のもり下がり符号Ｍとの凹凸感が、少ないほどやさしい毛流れ状に見える。綺麗な毛流れ状を作る際には、髪型を意図としない波シワを作らない、シワが意図としない方向によれたり傾いたりしないようにすることが大切です。更に、布のシワ加工や毛流れ模倣の色彩を加えることでより視覚的表現ができる。例えば、前記外皮材図２９の髪型の所定の位置に、前記髪型の一端側図２９の符号Ｂから他端側先端図２９の符号Ｄに沿う毛流れが、形成されていることを特徴とする髪型帽子である。
【００３２】  実施例１６、躍動感を見せたい布シワの毛流れ状表現では、空気感を意識して、どこの布がもり上がって、どこの布がもり下がっているのか、どこがふんずまるのか、綺麗な毛流れを表現するためには、全体の布シワのバランスをとることです。布で作る外皮材の毛流れ状のシワとなる部分を頭部の分け目状部符号Ｂの一端側からか、又はツムジ形状部符号Ｋの一端側からか、顔がある前方の一端側から、髪型同様に頭の真下方向や顔から斜め下後方、又は真後ろ方向などの他端側先端に沿う毛流れが形成されていることを特徴とする髪型帽子である。その他いろいろな他端側先端に沿うように従来の髪型を模して毛流れ状のシワを事前にしわ加工しておいたり、被った後でヘアーセットと同様にアイロンなどで、シワを加えたりして個々のお顔に似合うように修正を加える。布の種類では、髪の動きを出せるサテン布地やレース布地やオーガンジー布地、その他合成素材をシワ加工して、空気感や風を受けてヒラヒラ感を楽しめるようにする。また、髪をなびかすように風を受けて、ふわっと布の裏側符号Ｅを見せて楽しめます。髪の動きを布で演出することができる楽しさにつながります。綺麗な毛流れ状の表現をするためには、全体の布シワのバランスと布の向きを考えながら毛流れ状のシワを作り上げていく髪型帽子である。
【００３３】  実施例１７、内皮材は、軽くて風通りの良い圧迫感の少ない、頭部からずれにくくフィット感に優れていて、長く被っていても心地良い感触で、付けているのも忘れてしまうくらいの薄くて軽い、外皮材に余分な凹凸などの悪影響が出ないメッシュ状のキャップなどが望ましい。また、その内皮材の素材には、柔らかい布状の素材の物から、少し固めの個々の頭の形状に合わせた布、ポリエチレン系素材やその他合成素材に、個々の頭髪に合わせた色彩を加え使うことでより自然に違和感のないようにできる髪型帽子である。
【００３４】  実施例１８、髪型帽子は、美容師歴４０年の経験と技術が生かされている。人の髪型を布で表現したカツラ形状である。実際の髪型を模した形状、シルエットや質感、多種にわたる帽子状のデザイン制作、主に髪の毛の長さや形状、又は色彩（実際の毛髪の色に近い質感、又は人工的に染めた各色の毛髪色）等を布で表現するために、布探しを関東でも有名な各布店やインターネットなどで探し、髪型帽子に適した布素材の研究へ、思ったより無いので、今後、髪型帽子に適した布制作もメーカーとタイアップしながら、人毛や人工毛の質感や形状などを布状に表現し、外皮材のクオリティーを高めて髪型帽子の外皮材を更に研究開発。何らかの原因でお髪に問題を生じた方に、従来のカツラではない、布でできた、カツラのようなかぶり物を提供することを多くの方から求められている現状を感じます。職業上見過ごしておけない与えられた使命だと思い取り組んでいる髪型帽子である。
【００３５】  実施例１９、髪型帽子は、布を使い髪型を模した形状を帽子状に形成していく美的センスとバランス感覚が活かされる難しい分野です。前記外皮材の布に当たる符号Ｂ、Ｃ、Ｄ、Ｅ、Ｆの各ポイントとなる前髪部分や左右の髪の部分及び後ろの髪部分をそれぞれ髪型のデザインにより、バランス良く希望の髪型に合うように、長さや形状または色彩等を髪の質感に近い布等を使い、老若男女の多種多様な要望に応じて、髪型形状を布でデザイン制作するために試行錯誤した結果完成した。その際の布の形状は、例えば、平らな布ならストレート毛を表現し、波打つ布ならウェーブ毛を表現し、ジグザグのある布等ではハードなパーマ毛等の表現として活用する。または、事前に、頭の形のマネキン等を使い、布に髪型のシワ加工を加えたり、切り込み符号Ｊや縫合などして形成する。完成品を被ってからでも要望に応じて、切り込みやアイロン等を加えて表情を付けるなどもできます。各人のお顔に似合う調整を加えながら違和感を無くしていく髪型帽子であり、お顔に似合うデザインを提供するために挑戦中です。カツラと違う点は、被る本人と他人に偽らなくてもよい堂々とした気持ちで気軽に被れる帽子感覚の髪型帽子である。
【００３６】  実施例２０、さまざまな髪型の形状を模して、帽子状の形状に形成する、その髪型の外皮材を帽子状に組み立てる前の展開図（多くの外皮材髪型パターンの布等を準備する）の布等を事前に用意しておき、組み立てるだけにすることで、多くの注文にも対応できる。更に、個々の人のご要望に応えるためには、頭部に被った後で、前述前髪や左右の髪、及び後の髪に相当する所の布の微調整もできる。その微調整部分の切り込みやカット及び縫合するなどもできる、個々の人の頭に合った髪型帽子を提供する。本発明は、個々の人に対応するために、内皮材と外皮材を組み合わせた髪型帽子の考案と、外皮材だけでも成り立つ図５の髪型帽子の考案の２通りを用意して多くの方に提供できる髪型帽子である。
【００３７】  実施例２１、前髪と左右の髪と後の髪の間などに切り込みを入れた、例題図２０と図２１の符号Ｊの前髪と左右の髪との間に、毛流れに沿うように符号Ｃと重なる下側の符号Ｅも同時に切り込みを入れて、前髪と左右の髪とが分離した後、それぞれの切り口の布はほぐれない様に丁寧に縫合することにより綺麗にまとまり、更に内側に風通りが良くなりゆれ動く髪を表現できお洒落を楽しむことができる。同様に左右の髪と後の髪の間も切り込みを入れ分離させて、それぞれの切り込み口の布は、前記同様に切り込みを入れることで同じように風通りも良くなり、実際の髪のゆれ動くようなゆらぎを表現楽しむことができる。この切り込みをすることで多くの髪型のバリエーションにつながる。それぞれの髪型帽子に応じて切り込みの形状や数、そして、どの位置に入れるかは、様々考えられて多くの要望に応えられる。上記の切り込みと同時に髪型帽子の余分なしわも左右からたぐり寄せて、この位置でも修正することもでき綺麗なシルエットにも繋げられる髪型帽子である。
【００３８】  実施例２２、本考案の髪型の外皮材は、内皮材の上にかぶせた１枚目と、この上にかぶせた２枚目と、更にその上にかぶせた３枚目からなる３層構造であり、前記２枚目の布に図１８（Ａ）の符号Ｈのように半月状の形の切り込みを入れることで毛流れ状の動きを出せる。切り込み離れた布の切り口は丁寧に縫合する。この前記２枚目の布に符号Ｈを３つ設けた図１８（Ｂ）の符号Ｈのようにすると、更に立体的な髪型を表現できる。また、この符号Ｈを更に髪型帽子全体に表現すると図３２のようにもできる。更に図１９（Ａ）の符号Ｉの前記３層目の布の切り込み口から前記２層目の符号Ｈを引き出す事により更に立体的な動きとなります。その図１９（Ａ）の符号Ｉと符号Ｈの切り込みを図１９（Ｂ）に３つ設けた図では、更に動きのある表情の髪型帽子になります。図３２にもこの方法は適用できます。また、切り込みの形状は様々な形が考えられる。本考案は、１枚状の布であるが、重なり合い同じ動きと形状コンセプトであれば前記３層構造でも１枚状としている。更に装飾のために外皮材表面に様々な髪型形状を施しぬい留めるなどして髪の表情も豪華にでき多くのパターンを提供できる楽しい今までにない特徴をもつ髪型帽子である。
【００３９】  実施例２３、本考案の髪型の外皮材に人の頭とそこに付随する髪型の形状に合うように、形成するために、個々の髪型に即わない余分な布のシワは、表面から見えないように、左右からたぐり寄せて内側に折り返し、合わせたシワどうしをぬい留めて余分な布等は取り除き、表面には髪型のシルエット以外の余分なシワの影響が出ない様にする。ぬい留める跡は、各髪型の形状に合わせて、毛流れに沿うように毛流れ状に模してぬい留める。表面の凹凸を無くす方法として、１枚状の平らな布を使用した場合、布の伸縮性や柔軟性にもよりますが、多くの場合、前髪部分三角ベースを１等分として、左右の耳と頭頂部を結んだ線の前側をセンターで２等分して左と右の髪部分として、前記の線の後側を後ろの髪部分として更に、その後の髪をたてに均等に３等分に分けて合計６等分した左右の間の布のたるみ部分を、左右からたぐり寄せて、内側に折り返してぬい留めて、余分なシワを取り除き、アイロン等で平らな表面を作りながら、形作ることが余分なシワを無くす方法です。更に、たるみを無くすために、ぬい留める数は、各髪型帽子の布の種類によります。また、布素材の硬さを利用した髪型帽子の中には、従来の帽子のように硬めの素材を使って作る図３０のような男性用髪型帽子なら、頭上に乗せる帽子のように気軽に被ることも、外すことも簡単な髪型帽子であり、多くの男性に使って頂ける布でできたカツラのような帽子です。新たな髪型帽子として、今後多くの男性たちに被って頂けるように布の研究と詳細なデータを取り、使いやすさとクオリティーを高めることが求められる髪型帽子である。
【００４０】  実施例２４、縫い目は、少なくした方が、綺麗な髪型表面符号Ｃになります。逆に毛流れを模して多数ぬい目を多く強調してデザインにする方法もある。従来の帽子等には、前記の毛流れ状を強調し、ぬい留めた帽子はない。本発明は、毛流れ状を特徴とする髪型帽子でもあり、人の頭部とその頭部に付随する髪型の形状にフィットさせるために、内皮材の上に、被せる外皮材１枚目２枚目３枚目の布も組み合わせることにより多くのバリエーションができます。又は布の種類の中には、毛髪と似た糸がしきつめられた布フェイクファー生地もあり、カラフルなファーで衣装等にも使われている布を使うと、かつらのように仕上げられます。更に軽いフェイクファー布も検討中です。外皮材符号Ｂと内皮材符号Ｇを結合させ、又は符号Ｋと符号Ｌを結合させ、外皮材符号Ｆを内皮材の縁部符号Ｐに収め重ねぬい留めて髪型帽子とする。注文された方が着用後、シルエット等を微調整したい場合は、その場で、切り込みや切り込みカットや縫合など調整できる髪型帽子である。
【００４１】  実施例２５、符号Ｂの分け目の位置や形状は、各髪型帽子の種類に応じて、個々の人の顔の表情に合う位置や形状を選びます。髪型帽子のシワをこの符号Ｂでも左右からたぐり寄せて、内側に折り返しぬい合わせ留めて余分な布は取り除くことで、外皮材符号Ｃの布のシワを減らすことにつながり、綺麗な髪型を表現できる。また、外皮材符号Ｋのツムジの形状としては、基本的には、１点でしっかりと内皮材符号Ｌに結合させますが、ツムジのような渦を巻く形に結合ぬい留めることで、より固定力を増す利点になる。また、ツムジ形状部のデザインとしては、右巻きでも左巻きでも要望に応えられる髪型帽子である。
【００４２】  実施例２６、柔らかい布素材を外皮材に使う場合、分け目髪型形状部符号Ｂやツムジ髪型形状部符号Ｋを内皮材に結合し、前記外皮材をずれないようにできる。前記外皮材の布素材を硬い素材にすると前記内皮材が、なくても髪型帽子自体は安定する反面、髪の動きを表現しにくくなる。比較的男性用短髪を模した髪型帽子なら適していが、女性用の長い髪型を表現するには、分け目髪型形状部やツムジ髪型形状部付近の布素材を硬めにして、毛先様部分にかけて柔らかい布にすることにより全体が安定し髪のしなやかさも表現できる。少し硬めの布を内側にあてがい補強しながら分け目髪型形状部符号Ｂやツムジ髪型形状部符号Ｋを形成し強度を増せる。符号Ｃの部分では、髪型の表面部分を綺麗に表現するためむだにぬい留めないこと、自然な髪の動きや表情が損なわれないように髪型表情を形成する。どうしてもぬい留めるところがでてきたなら毛流れをデザイン創作する意図でぬい留める。符号Ｄでは、毛先の形状に折り返すことで、符号Ｃの形状を更に安定させる効果があり符号Ｄから符号Ｅの内側を経て符号Ｆの頭部装着部で完全に安定する。この一連としたつながりは大切である。頭部装着部は、滑りにくいゴム系素材を使用し圧迫感の少ないように各頭囲の寸法の頭部装着部にして外皮材だけでも使用できる髪型帽子である。
【００４３】  実施例２７、前述毛流れのシワ加工に加えて、毛流れの模様の色彩を付け加えることで、髪型帽子は、より髪型らしく見える。あらゆる髪質の色彩や模様を布にプリント表現できるので、実際の髪型にせまるリアリティーを表現追求できる髪型帽子である。
【００４４】  実施例２８、前記外皮材の布素材の繊維を一部解して髪型帽子に表現すると更に表情をだせる。また、事前に解した布繊維状の素材を髪型帽子に応じて使い分けすることにより多くの髪型帽子が更に生まれる。従来の帽子等に使われた素材は、例えば、麦わら帽子の素材や不織布、紙、ビニール、ポリエチレン系その他合成素材なども布とします。今後、時代と共に布の素材も進化していきますので、多くの素材に対応していく髪型帽子である。
【００４５】  実施例２９、布（ぬの）とは、多数の繊維を薄く広い板状に加工したものを指す、作り方によって織物、編み物、レース、フェルト、不織布に分けられ、使用している繊維の種類、織り方、編み方により性質が決まる。古代日本では、植物繊維で作られた物のみを指し、絹織物や毛織物は「布」とは呼ばれていなかったが、現在は繊維の材質に関わらず布と呼ぶ。帽子の材料（帽体）には、パナマやケンマ草などの天然草を編み上げたものから化学繊維や紙素材の帽体もあり、羊毛からできたウールフェルトは、水分、熱、圧力を加えて摩擦することで、繊維の状態から帽体へと少し固めの素材もあり、ファーフェルトの素材では、うさぎの毛で軽くてしなやかで優しい手触りの素材もあり、今までに使われてきた帽子の合成素材等も研究しながらデザインに取り入れていく髪型帽子である。
【００４６】  実施例３０、髪型、髪形（かみがた）とは、頭から生えている毛を使って作られたヘアースタイルだが、長くする、同じ長さに揃える、固まりをつくる、編むなどの様々な手を加えて作られる。例えば、図２９の髪型のシルエットは、前方及び／又は、左側方及び／又は、右側方／又は、後方から見て、所定のシルエットを有している。１つの髪型を立体的に見たときそのシルエットのバランスは、ちょっとしたバランスの違いで大きく髪型の良し悪しが分かれてしまうほど大切です。本発明は、人の髪型を模した布で作る帽子状であり、従来の帽子やターバン等では、その使用範囲や個々が持つ特徴を超える技術面は無かった。そこで本考案のコンセプトを分かりやすく書き示し、後世に残している髪型帽子である。
【００４７】  実施例３１、前記外皮材だけの髪型帽子を、図５の符号Ｆの頭部装着部を有し、直接頭部に装着被ることができる。その際に符号Ｂの分け目髪型形状部、又は符号Ｋのツムジ髪型形状部は、内皮材には固定されていないため、符号Ｂ、符号Ｋ付近に少し硬めの布を使うか、内側に当て布を使い、外皮材符号Ｂ又は符号Ｋの外皮材の布の強度を増すなど補強すると良い。更に縫い目等で分け目髪型形状部符号Ｂやツムジ髪型形状部符号Ｋのデザインを施すと共に強度を増し、髪型帽子全体のバランスを保たせる機能もある。その他方法としては、シワ加工した布を使うなど布の種類は、多種多様使える。シワとは、紙や布などをもんだりして表面にできた細かい筋目のことだが、例えば、本発明でいうシワとは、人の髪型の毛流れを模して毛流れ状に表現したものである。毛流れ状のシワとは、布の折り目及び／又は、波状及び／又は、布の凹凸感及び／又は、布繊維の凹凸感を構成する。更に、毛流れ表現を部分的でも髪型全体的でもシワを表現した場合では、曲面及び／又は、球面及び／又は、二次元曲面及び／又は、三次元曲面に該当することである。本考案の毛流れ状とは、布の凹凸感を使って表現したことを特徴とする髪型帽子である。
【００４８】  実施例３２、布製で、人間の髪型を模した形状であって、その形状の毛先様部分で、内側に折り返されて、その折り返された外縁部に頭部装着部が形成されて、更に前記髪型を模した形状に分け目髪型形状部又は、ツムジ髪型形状部が形成されていることを特徴とする。実施例３３、布製で、人間の髪型を模した形状であって、その形状の毛先様部分で、内側に折り返されて、その折り返された外縁部に頭部装着部が形成され、内皮材を更に有し前記髪型を模した形状に分け目髪型形状部、又はツムジ髪型形状部が、結合されることを特徴とする。実施例３４、布製で、人間の髪型を模した形状であって、その形状の毛先様部分で、内側に折り返されて、その折り返された外縁部に頭部装着部が形成されて、更に前方及び／又は、左側方及び／又は、右側方及び／又は、後方から見て、所定のシルエットを有し、更に人間の頭髪の髪の毛の流れを模した形状の毛流れ状のシワ加工が、形成されていることを特徴とする。実施例３５、布製で、人間の髪型を模した形状であって、その形状の毛先様部分で、内側に折り返されて、その折り返された外縁部に頭部装着部が形成され更に、前記布製で、人間の髪型を模した形状が、前方及び／又は、左側方及び／又は、右側方及び／又は、後方から見て、所定のシルエットを有し、更に人間の頭髪の髪の毛の流れを模した形状の毛流れ状のシワ加工が形成されて、更に前記布製で人間の髪型を模した形状の所定の位置に、前記髪型を模した形状の分け目髪型形状部、又は髪型を模した形状のツムジ髪型形状部が形成されて、更に内皮材を更に有し前記内皮材は、前記髪型を模した形状の分け目髪型形状部、又は前記髪型を模した形状のツムジ髪型形状部に結合されることを特徴とする。実施例３６、布製で、人間の髪型を模した形状であって、その形状の毛先様部分で、内側に折り返されて、その折り返された外縁部に頭部装着部が形成されて、更に前記頭部装着部は、髪型を模した分け目髪型形状部、又は髪型を模したツムジ髪型形状部を支える前記頭部装着部の機能を有していることを特徴とする髪型帽子である。実施例３７、布製で、人間の髪型を模した形状であって、その形状の毛先様部分で、内側に折り返されて、その折り返された円形状の外縁部に頭部装着部が形成されて更に、前記頭部装着部の色彩は、個々の頭髪色又は、おでこの上に収まる前記頭部装着部の色彩は、個々の肌色又は、透明で他人から見て目立たない色彩をしていることを特徴とする髪型帽子である。実施例３８、布製で、人間の髪型を模した形状であって、前記形状の毛先を模した折り返し形状部を有する個々の毛先様部分を形成し、前記毛先様部分で、内側に折り返されて、その折り返された円形状の外縁部に頭部装着部が形成されて、更に前記円形状の外縁部になる前記頭部装着部の形状は、頭囲を測る位置で普通に、人の頭部に被せた際に、額（ひたい）の上に装着又は、接触すると、長い時間の間には特に汗がにじんだり、頭部装着部の跡なども残りとても不快な気持になるため、前記頭部装着部が額の肌に接触しないように、額の肌をさけた形状で、額の生え際内へ後方約１センチへ、頭部装着部が収まる形状にするとよい、額に髪が有る方に有効な形状です。更に前記頭部装着���がずれないように小さなピンで留めるためのピン留め様の小さな布の輪っかを、前記頭部装着部に数か所付けていることを特徴とする髪型帽子である。実施例３９、布製で、人間の髪型を模した形状であって、その形状の毛先様部分で、内側に折り返されて、その折り返された円形状の外縁部に頭部装着部が形成されて、更に前方及び／又は、左側方及び／又は、右側方及び／又は、後方から見て、所定のシルエットを有し、更に、人間の頭髪の髪の毛の流れを模した毛流れ状の色彩又は、模様が印刷、又は描かれていることを特徴とする髪型帽子である。
【００４９】  実施例４０、髪型とは、直毛、波毛、波づける、ヘアカラー染髪で色調を変えられる。老若男女を問わず、伸びてくる毛を美容上、衛生上などの理由で、切るなどして髪型を変化させる。暑いときなど通気の良い衛生上の見地から日よけ、熱よけとしてかつら等も用いてきた。ワンレングスカット、段カット、レイヤーカット、髪の毛の断面を巧みに生かしたグラデーションカット他がある。最近は、ツーブロックカットというトップと周辺を連結させない髪型が流行っている。最近は、男性の髪型も個性化、多様化が進み女性なみのデザインも豊富である。聖子ちゃんカットその他特徴のある髪型もある。髪質には、くせ毛、サラサラ、つやつや他がある。長さには、長髪、セミロング、ショート他がある。セットでは、夜会巻き、日本髪、花編みヘアー他がある。前記髪型の特徴をいかして、本発明のコンセプトを明確にし、よりクオリティーを高めていける髪型帽子である。
【００５０】  実施例４１、帽子とは、防寒・防暑、礼装、装飾などを目的とした被り物。その歴史は古く、古代エジプトや古代ギリシャの時代からある。クラウン（山の部分）とブリム（つば）からなるハット、つばのないキャップなどがある。形状別の分類は、ターバン、ハット帽子、麦わら帽子、シルクハット、ドレスハット、ウェスタンハット、魔女帽子、ハンチング、キャップ、野球帽、紅白帽、体育帽、サンバイザーその他である。従来の帽子は、クラウンとブリムからなり従来の帽子等は従来の帽子等のコンセプトであり、前記シルエットだけを見ても明らかに従来の帽子と本発明との違いは明らかに見分けがつく。本発明のポイントは、布制で、人間の髪型を模したシルエット形状、毛流れ形状、前述毛先様部分で折り返す形状、髪型の分け目形状部（前方から後方へぬい留めたり他でクボミを付けて表現）ツムジ形状部においても渦巻き状他同じ、前方の髪形状、左側方の髪型形状、右側方の髪型形状、後方の髪型形状となる本発明のコンセプトを有している髪型帽子である。
【００５１】  実施例４２、頭部装着部は、ゴム系素材で滑りにくく伸縮性を有し、かさ張らないことが望ましい。速乾性に優れている素材であり、圧迫感の少ない頭部との接地面が少ない方が更に良い。人の好みは時代と共にそれぞれであり、個々に注文を受けて希望に沿う様に今後対応していく。今まである素材は、全て対応しながら新たに新素材も研究しながらより良い頭部装着部を取り入れていく。更に、サイズ調整できるマジックテープ状なども対応しながら、基本的には、個々の頭の頭囲の所定の寸法に合わせて用意しておく。その寸法の測り方の基本は、おでこの最も出る部分から耳の上を通り、後頭部の最も出ているところをぐるっと囲んで測定したサイズが頭の周囲の長さ頭囲となります。ＳＳサイズ約５４ｃｍ〜５５ｃｍ、Ｓサイズ約５５ｃｍ〜５６ｃｍ、Ｍサイズ約５７ｃｍ〜５８ｃｍ、Ｌサイズ約５９ｃｍ〜６０ｃｍ他サイズがある。更に、内皮材と外皮材の結合部分又は、分け目形状部分やツムジ形状部分の結合部分の両方にマジックテープなどで着脱できるようにしておくと、内皮材ありの髪型帽子と外皮材だけの髪型帽子の２通りの使い方ができる。更に、出先などで、寒さ暑さの状況に応じて、着脱可能なので便利に使える。特に、医療面で使われるさいには、更に軽さと通気性に優れた機能性を発揮できる髪型帽子である。
【００５２】  実施例４３、周縁部（しゅうえんぶ）とは、周り（まわり）の縁（ふち）の部分で、頭囲であり、頭部装着部であり、符号Ｆ、又は符号Ｐであり、外縁部でもあるといっても良いほど同等の位置を現している。頭部装着部は、図５の符号Ｆであり、図９符号Ｐでもあり、分け目髪型形状部、又はツムジ髪型形状部を支え固定するために、丸ひも状や平ひも状等と結合させ、外皮材をずれないようにした。外皮材の頭部装着部は、シンプルかつ軽量にした特徴も持たせた。頭部でお悩みの方々に早く届けたい。本考案が、発明と認定されることを願いつつ多くの方々にお役にたてる日を願っています。この本考案の発想こそ美容４０年の技術が活かせたと考えております。髪型帽子は、今までにはないシンプル構造でありながら、大きな役目を果たせたと考えています。いかに軽くて通気性も良くカツラのように、又はカツラとは違う観点から必要性が求められている髪型帽子である。
【００５３】  実施例４４、シワとは、人間の頭髪の髪の毛の流れを模した毛流れ状のプリーツ状又は、カーテンのヒダ状又は、平状から波状のシワ加工その他のシワ加工をした布シワのことであり、自然にできた波状のものから人為的に折り目を作ったシワのことである。便宜上、短く表現した方が良いため前記シワ加工のことをシワと表現している。シワ加工には、多数手法や種類又は名称があり、プリーツ名も１つの名称で、主に、女性のスカートなどに多く表現される。本発明のシワ加工には、新たな手法の名称を検討中です。髪型の髪の毛の毛流れを模して、髪型の毛流れ状と表現しているので、例えば、ヘアーラインシワ加工、又はヘアーライン加工、又はヘアライン加工その他を検討中の髪型帽子である。
【００５４】  実施例４５、図面の表現の仕方で、かくれてしまう裏側、下側、又は下の層の詳細図面など、分かりやすくするために、見えるように点線で、描き示した髪型帽子の前記内皮材、又は前記外皮材の図面の補足説明をしたことを特徴とする髪型帽子である。
【００５５】  実施例４６、布製で、人間の髪型を模した形状であって、前記形状の毛先様部分で、内側に折り返されて、その折り返された外縁部には、前記髪型を模した形状の分け目髪型形状部、又はツムジ髪型形状部を支え固定できる着脱可能部を有した頭部装着部が形成されていることを特徴とする髪型帽子。実施例４７、布製で、人間の髪型を模した形状の所定の位置に、分け目髪型形状部、又はツムジ髪型形状部が形成されており、前記分け目髪型形状部、又はツムジ髪型形状部には、頭部装着部に固定できる着脱可能部を有していることを特徴とする。実施例４８、布製で、人間の髪型を模した形状であって、前記形状の毛先様部分で、内側に折り返されて、前記折り返された外縁部に分け目髪型形状、又はツムジ髪型形状を支え固定できる布のひも状、又はマジックテープを有した頭部装着部が形成されていることを特徴とする。実施例４９、布製で、人間の髪型を模した形状であって、前記形状の毛先様部分で、内側に折り返されて、前記折り返された外縁部に、メッシュ状のキャップを有した頭部装着部が形成されていることを特徴とする髪型帽子である。
【００５６】  実施例５０、毛先様部分とは、実際の髪型の毛先部分を毛先様部分と定義した。符号Ｃと符号Ｅの間の位置する符号Ｄの布の折り返し形状部を毛先様部分と表現している。前記内皮材図１〜４は、細かいメッシュ状であるが、その他メッシュ状の大きさは様々であり、前記分け目髪型形状部、又はツムジ髪型形状部を支え通る１本の平状のひもで、ツムジ髪型形状部、又は分け目髪型形状部を固定し、更に交差させた２本目〜４本目以上の平状のひもを有している。前記外皮材の頭部装着部においても同じく、ツムジ髪型形状部、又は分け目髪型形状部を支え通る１本の平状のひもを両側の頭部装着部に渡すことで、ツムジ髪型状形部、又は分け目髪型形状部を結合、支えることができ、外皮材の髪型帽子のシルエットを安定させ内皮材が無いぶん軽くもできるなどの特徴をもつ髪型帽子である。
【００５７】  実施例５１、人間の髪型を模した個々のカツラの形状を、布に代用し形成する髪型形状には、布の分け目髪型形状部、又は布のツムジ髪型形状部が、形成されると共に、前方、左側方、右側方、及び後方の布の髪型形状が形成され、前記４方の布の髪型形状を変更したい位置で、内側に折り返し、前記内側に折り返した布の外縁部を、円形状に頭部装着部を形成することにより、前記人間の髪型を模した個々のカツラの形状を、布に代用した髪型形状に形成されたことを特徴とする髪型帽子であり、前記円形状の頭部装着部、及び前記布の分け目髪型形状部又は、布のツムジ髪型形状部と、重なる位置で結合可能、又は着脱可能である内皮材を更に有していることを特徴とする髪型帽子である。
【産業上の利用可能性】
【００５８】  病気やケガや老年等で、髪の毛が薄くなった等の理由で、かつらや帽子等を使用する方が多いと思いますが、本発明の髪型帽子なら、かつらと帽子の形状と機能を活かして、特に医療面で、豊富なデザインを多くの方に提供できる特徴がある。更に各職業用帽子においても髪型帽子のデザインを取り入れることで仕事へのモチベーションアップに繋げられる髪型帽子である。カツラには、医療用のものとファッション用の物があり、ファッション用カツラは、昔と比べると種類も多く価格や特徴も様々あります。医療用ウイックは、髪の分け目は肌色で生え方も自然に近づけています。どちらも他人の目線は、何か違和感を感じ察知してカツラなのか探り始めます。どんなに良くても見分けがつかなくても偽りの気持ちは変わりません。クオリティーが高いカツラ、又は面白く楽しくしてくれる髪型帽子があれば選択の余地も増えます。頭全体にすっぽりとかぶるタイプと部分カツラのように被るタイプがありますが、髪型の形状をした帽子なら解決できることは限りなく分かっています。美容４０年の技術で提案できる髪型帽子です。見苦しい頭部が職業上目にとまりますが、少しでもどうにかお役にたてないかと本案件、髪型帽子を生み出しました。従来の帽子やターバン等では叶えられなかった使いやすさと、手軽さと、個々のデザインの多さで、従来のカツラよりはるかに多くの種類の髪型帽子が創りだせます。髪型のような帽子があったらどんなに良いか感じることが多くあります。髪型帽子を用いることによって毎日の生活を楽しく過ごせるようになってほしい、それは、周りの人たちに家族の人たちにカツラではない、髪型の帽子で積極的になってほしい、偽らなくてもよい、被りたいときに被り、抜きたいときに抜くことができる特徴をもつ髪型帽子である。
【符号の説明】
【００５９】  Ａ  髪型帽子の内皮材の部分。
Ｂ  髪型帽子の外皮材の分け目状の部分。
Ｃ  外皮材の符号Ｂから符号Ｄの間と符号Ｋから符号Ｄの間、または、髪型の表面部分。
Ｄ  外皮材の符号Ｃと符号Ｅの間で、符号Ｅ側に折り返した毛先様部分を表現した部分。
Ｅ  外皮材の符号Ｄから符号Ｆまでの間の部分。
Ｆ  外皮材符号Ｅの縁部の周縁部分で、頭部に装着させる頭部装着部を有する部分。
Ｇ  外皮材の分け目符号Ｂの真下に位置する内皮材符号Ｇの位置であり、外皮材符号Ｂと内皮材符号Ｇが結合される部分。
Ｈ  外皮材２層目（２枚目）に、切り込みを入れた部分。
Ｉ  外皮材３層目（３枚目）に、切り込みを入れた部分。
Ｊ  外皮材１枚目に、切り込みを入れた部分。
Ｋ  外皮材のツムジ状に位置する部分で、内皮材符号Ｌと結合される部分。
Ｌ  外皮材符号Ｋの真下に位置する内皮材の位置で、外皮材符号Ｋと結合される部分。
Ｍ  布を波状にシワ加工し毛流れを表現、黒色が増すほど、くぼみ部分が深くて頭部側へくぼんでいることを現している、黒色の部分。
Ｎ  布を波状にシワ加工し毛流れを表現、白色が増すほど、布のもり上がる部分が大きいことを現している、符号Ｍの逆の凹凸を示した白色の部分。
Ｐ  内皮材の縁の周縁部分であり、頭部装着部を有し、外皮材符号Ｆと結合される部分。
ＦＰ  外皮材符号Ｆと内皮材符号Ｐを並べて分かりやすく表記した、符号Ｆと符号Ｐが重なり合う同じ位置なので、ＦＰと並べて表記した結合部分。
Ｒ  前方の髪型形状の、前髪部分となる三角ベースの髪型形状部分。
Ｓ  左側方の髪型形状であり、見えていない反対側には右側方の髪型形状がある部分。
Ｔ  後方の髪型形状であり、両耳上と頭頂部を線で結んだ後方側の髪型形状部分。
【図１】
2020094313.tif 000003
【図２】
2020094313.tif 000004
【図３】
2020094313.tif 000005
【図４】
2020094313.tif 000006
【図５】
2020094313.tif 000007
【図６】
2020094313.tif 000008
【図７】
2020094313.tif 000009
【図８】
2020094313.tif 000010
【図９】
2020094313.tif 000011
【図１０】
2020094313.tif 000012
【図１１】
2020094313.tif 000013
【図１２】
2020094313.tif 000014
【図１３】
2020094313.tif 000015
【図１４】
2020094313.tif 000016
【図１５】
2020094313.tif 000017
【図１６】
2020094313.tif 000018
【図１７】
2020094313.tif 000019
【図１８】
2020094313.tif 000020
【図１９】
2020094313.tif 000021
【図２０】
2020094313.tif 000022
【図２１】
2020094313.tif 000023
【図２２】
2020094313.tif 000024
【図２３】
2020094313.tif 000025
【図２４】
2020094313.tif 000026
【図２５】
2020094313.tif 000027
【図２６】
2020094313.tif 000028
【図２７】
2020094313.tif 000029
【図２８】
2020094313.tif 000030
【図２９】
2020094313.tif 000031
【図３０】
2020094313.tif 000032
【図３１】
2020094313.tif 000033
【図３２】
2020094313.tif 000034
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
人の頭部に被せる布の上面、前後左右の側面、及び毛先様部分で内側に折り返された前記前後左右の側面には、人の髪型を模した髪型形状が形成されており、前記毛先様部分で内側に折り返された前記人の頭部に被せる布の外縁部には、頭部装着部が形成されていることを特徴とする髪型帽子。
【請求項２】
前記人の頭部に被せる布の上面には、前記人の髪型を模したツムジ髪型形状部が形成されていることを特徴とする前記請求項１に記載の髪型帽子。
【請求項３】
前記人の頭部に被せる布の上面には、前記人の髪型を模した分け目髪型形状部が形成されていることを特徴とする前記請求項１又は、２のいずれか１項に記載の髪型帽子。
【請求項４】
前記人の頭部に被せる布の前記前後左右の側面と前記毛先様部分で内側に折り返された前記前後左右の側面を重ねて切り込みを入れる位置は、個々の前記人の髪型を模した髪型形状に応じた所定の数か所の位置に入れることにより、個々の前記人の髪型を模した髪型形状の前記人の頭部に被せる布のゆれ動くゆらぎと前記人の頭部に被せる布の内側に風通りを良くするための前記切り込みを入れることを特徴とする前記請求項３に記載の髪型帽子。
【請求項５】
前記毛先様部分で内側に折り返された前記前後左右の前記毛先様部分の部位は、前記人の髪型を模した髪型形状の毛先部の部位であり、前記毛先部である前記毛先様部分を構成するための前記人の髪型を模した髪型形状に形成される前記毛先様部分の形状と位置により、前記人の髪型を模した様々な髪型形状を形成できることを特徴とする前記請求項４に記載の髪型帽子。
【請求項６】
前記頭部装着部は、内皮材と外皮材両方に形成されており、使い勝手により前記内皮材と前記外皮材どうしは着脱できる構造で、軽量と通気性を追求し、更に伸縮性と滑りにくい素材を使い、各頭囲に合わせた形状に形成し、暑さ寒さ更にその時の体調に応じて着脱して使い分けできることを特徴とする前記請求項５に記載の髪型帽子。
【請求項７】
前記頭部装着部は、前記ツムジ髪型形状部、又は前記分け目髪型形状部と着脱可能であり、結合時には前記人の髪型を模した髪型形状の上面をずれないように安定させ、更に前記人の髪型を模した髪型形状をバランスよく綺麗に形成できることを特徴とする前記請求項６に記載の髪型帽子。
【請求項８】
前記人の頭部に被せる布には、前記人の髪型を模した個々の髪型形状に合わせた毛流れ形状のシワ加工が形成されており、前記ツムジ髪型形状部、又は前記分け目髪型形状部から前記個々の髪型形状に合わせた毛流れ形状のシワ加工が形成されており、更に前記毛流れ形状のシワ加工には凹凸部分があり、前記凹凸部分の布のシワをなくす様に前記布のシワどうしを合わせて、前記毛流れ形状に結合形成することにより、前記凹凸部分の布のシワをなくす様にも構成できることを特徴とする前記請求項７に記載の髪型帽子。
【請求項９】
前記人の頭部に被せる布は、前記人の髪型を模した個々の髪型形状に合わせた毛流れ状の色彩、又は模様を印刷、又は描かれており、医療面、ファッション業界その他に特化した毛流れ状の色彩、又は模様を印刷、又は描くことにより、従来の帽子等にはない前記毛流れ状の色彩、又は模様を印刷、又は描くことによるコンセプトを提供できることを特徴とする前記請求項８に記載の髪型帽子。
【手続補正２】
【補正対象書類名】明細書
【補正対象項目名】０００５
【補正方法】変更
【補正の内容】
【０００５】  人の頭部に被せる布の上面、前後左右の側面、及び毛先様部分で内側に折り返された前記前後左右の側面には、人の髪型を模した髪型形状が形成されており、前記毛先様部分で内側に折り返された前記人の頭部に被せる布の外縁部には、頭部装着部が形成されていることを特徴とする。
【手続補正３】
【補正対象書類名】明細書
【補正対象項目名】０００８
【補正方法】変更
【補正の内容】
【０００８】前記人の頭部に被せる布の前記前後左右の側面と前記毛先様部分で内側に折り返された前記前後左右の側面を重ねて切り込みを入れる位置は、個々の前記人の髪型を模した髪型形状に応じた所定の数か所の位置に入れることにより、個々の前記人の髪型を模した髪型形状の前記人の頭部に被せる布のゆれ動くゆらぎと前記人の頭部に被せる布の内側に風通りを良くするための前記切り込みを入れることを特徴とする。
【手続補正４】
【補正対象書類名】明細書
【補正対象項目名】０００９
【補正方法】変更
【補正の内容】
【０００９】  前記毛先様部分で内側に折り返された前記前後左右の前記毛先様部分の部位は、前記人の髪型を模した髪型形状の毛先部の部位であり、前記毛先部である前記毛先様部分を構成するための前記人の髪型を模した髪型形状に形成される前記毛先様部分の形状と位置により、前記人の髪型を模した様々な髪型形状を形成できることを特徴とする。
【手続補正５】
【補正対象書類名】明細書
【補正対象項目名】００１１
【補正方法】変更
【補正の内容】
【００１１】  前記頭部装着部は、前記ツムジ髪型形状部、又は前記分け目髪型形状部と着脱可能であり、結合時には前記人の髪型を模した髪型形状の表面をずれないように安定させ、更に前記人の髪型を模した髪型形状をバランスよく綺麗に形成できることを特徴とする。
【手続補正６】
【補正対象書類名】明細書
【補正対象項目名】００１２
【補正方法】変更
【補正の内容】
【００１２】前記人の頭部に被せる布には、前記人の髪型を模した個々の髪型形状に合わせた毛流れ形状のシワ加工が形成されており、前記ツムジ髪型形状部、又は前記分け目髪型形状部から前記個々の髪型形状に合わせた毛流れ形状のシワ加工が形成されており、更に前記毛流れ形状のシワ加工には凹凸部分があり、前記凹凸部分の布のシワをなくす様に前記布のシワどうしを合わせて、前記毛流れ形状に結合形成することにより、前記凹凸部分の布のシワをなくす様にも構成できることを特徴とする。
【手続補正７】
【補正対象書類名】明細書
【補正対象項目名】００１３
【補正方法】変更
【補正の内容】
【００１３】  前記人の頭部に被せる布は、前記人の髪型を模した個々の髪型形状に合わせた毛流れ状の色彩、又は模様を印刷、又は描かれており、医療面、ファッション業界その他に特化した毛流れ状の色彩、又は模様を印刷、又は描くことにより、従来の帽子等にはない前記毛流れ状の色彩、又は模様を印刷、又は描くことによるコンセプトを提供できることを特徴とする。
【手続補正８】
【補正対象書類名】明細書
【補正対象項目名】００１７
【補正方法】変更
【補正の内容】
【００１７】  実施例１、人の頭部に被せる布（１枚、又は数枚重ねた布、又は数枚を１枚状に重ねた布である）を上面（頭部を上から見た図３０（Ｂ）が１例であり、頭部は球面のため目安であり側面と重なる部分もある。前記図３０（Ｂ）は前記前後左右の側面も同時に見えている。約額の生え際を目安に水平に上下に分けた上部が前記上面であり、下部が前記前後左右の側面とする。例えば、何らかの原因で生え際が無いか見えない場合でもバランスを見て額の生え際のあたりを生え際とする）、前後左右（１例として、前側面図９、左側面図１０、右側面図１１、後側面図１２の前記下部で分ける前記前後左右の側面である）の側面（前記人の髪型を模した個々の髪型形状を要望に応じてデザイン創作する）及び毛先様部分で内側に（符号Ｄ前記人の髪型を模した毛先部分である毛先の様な部分を毛先様部分と定義付けた折り返した位置であり、前記毛先様部分から内側符号Ｅを内側とする）折り返された前記前後左右の側面（符号Ｅには、前記内側の前記髪型形状が形成されて１つのスタイル形状として形成されており、人の頭部に被せた布のバランスを取り前記人の髪型を模した髪型形状を安定させる役目があり、頭部装着部で固定し、更に安定させるためにも大切な符号Ｅの形状部である。従来の帽子等には前記符号Ｅのコンセプトはない、なぜなら本案件の髪型帽子のコンセプトでないからである。前記人の髪型を模した髪型形状のポイントは符号Ｃと符号Ｅが、各図面に示したように構成されることが必要であり、符号Ｃが人の頭部の髪型形状と同じ様なシルエット形状で構成できることが必要である）には、人の髪型を模した髪型形状が形成されており、前記内側に折り返された（符号Ｅは、表からの前記前後左右の側面が折り返された裏側が、内側になった前後左右の布の前記前後左右の側面である）前記人の頭部に被せる布の外縁部（は、符号Ｅの布の縁部であり前記個々の頭囲に合わせた円形状にした外縁部である）には、頭部装着部（符号Ｆ、又は符号Ｐであり滑りにくいゴム系素材その他、各頭部の頭囲の寸法に合わせたサイズを用意して、個々に頭部に合わせた形状を用意する）が、形成されていることを特徴とする髪型帽子である。
【手続補正９】
【補正対象書類名】明細書
【補正対象項目名】００２０
【補正方法】変更
【補正の内容】
【００２０】  実施例４、前記人の頭部に被せる布の前記前後左右の側面と前記毛先様部分で内側に折り返された前記前後左右の両側面を重ねて切り込みを入れる位置は、個々の前記人の髪型を模した髪型形状に応じた所定の数か所の位置に入れることにより、個々の前記人の髪型を模した髪型形状の前記人の頭部に被せる布のゆれ動くゆらぎと前記人の頭部に被せる布の内側に風通りを良くするための前記切り込みを入れることを特徴とする。（前記前後左右の側面は、又は前方、後方、左側方、右側方とし、人の髪型を模した前面には人の顔の額と前髪型があり、後面には後髪型があり、左側面には左耳と左髪型があり、右側面には右耳と右髪型があり、前記４方をバランス良く構成し多種多彩な布で限りなく多くの創作ができ、前髪の髪型形状、左右の髪型形状、後方の髪型形状の４側面、又は４方とする。前記人の髪型を模した前記布のゆらぎは、風を受けてゆれ動くことを楽しんだり、自分の指でなびかすことで自分の髪をなびかしている様を楽しんだりできる。前記内側に風通りを良くすることで暑いときなど頭部や首回りにも風を通すことで気持ち良く長い時間でも被っていられるようになる。切り込みは、主に立に入れて髪型を模したデザインに応じて所定の位置に入れる。１例として図２０図２１の符号Ｊは符号Ｃと符号Ｅを重ねて切りそろえ解れ止めには丁寧に縫合し、切り込みの例として符号Ｊが形成されていることを特徴とする髪型帽子である。
【手続補正１０】
【補正対象書類名】明細書
【補正対象項目名】００２１
【補正方法】変更
【補正の内容】
【００２１】  実施例５、前記毛先様部分で内側に折り返された（例えば紙を二つ折りに折り曲げたような部位であり、実際の毛先の様に鋭くとがっているイメージであり、図５〜図３２に示した符号Ｄが前記折り返し部の前記毛先様部分である。）前記前後左右の前記毛先様部分の部位は、前記人の髪型を模した髪型形状の毛先部の部位であり、前記毛先部である前記毛先様部分を構成するための前記人の髪型を模した髪型形状に形成される前記毛先様部分の形状と位置により、前記人の髪型を模した様々な髪型形状を形成できる（本コンセプトは、布で表現した毛先の様な部分ということで前記毛先様部分と定義し、前記内側に折り返された部位をいう。前記毛先様部分の形状は、前記髪型形状により様々な形状をデザインしながら医療面、ファッション関係等に対応していく。前記前後左右の側面の各４か所の各前記人の髪型を模した髪型形状の毛先様部分の形状と設置位置の組合せで、個々の前記人の髪型を模した髪型形状を多種多彩に作りだしていく。更に布の触感を楽しみながら長い時間快適に被っていられる形状表現に心がける）ことを特徴とする髪型帽子である。
【手続補正１１】
【補正対象書類名】明細書
【補正対象項目名】００２３
【補正方法】変更
【補正の内容】
【００２３】  実施例７、前記頭部装着部は（個々の頭のサイズ頭囲の寸法をゆうし、更に調整可能なマジックテープや、額をよけた曲がりくねった変形状や楕円形状の物もある。又は円形状でも被る位置を少し後方に設定してあり、額の設置面を少なくすることで蒸れにくさを軽減し、圧迫感を減らしたり長時間到着できるように考慮した）は、前記ツムジ髪型形状部、又は前記分け目髪型形状部と着脱可能であり、結合時には前記人の髪型を模した髪型形状の上面をずれないように安定させ、更に前記人の髪型を模した髪型形状をバランスよく綺麗に形成できること（ぬい留めたりマジックテープで着脱も可能にしたり、内皮材符号Ｐはキャップ状その他従来の物も取り入れる。外皮材符号Ｆはベルト状、平ひも状、ピンその他などで留め、少しでも内側の材料の軽さを追求している。頭部装着部の形状により大きく左右される髪型帽子の部位でもある）を特徴とする髪型帽子である。
【手続補正１２】
【補正対象書類名】明細書
【補正対象項目名】００２４
【補正方法】変更
【補正の内容】
【００２４】  実施例８、前記人の頭部に被せる布には、前記人の髪型を模した個々の髪型形状に合わせた毛流れ形状のシワ加工が形成されており、前記ツムジ髪型形状部、又は分け目髪型形状部（実際の人の頭部頭髪のツムジや分け目を模して表現する。１例として、前記分け目髪型形状部は、前方から後方へ左右に分けた形状でクボミを付けた線状であることを表現し見せる。前記ツムジ髪型形状部も１点留めや渦巻き状にして結合、固定しクボミを付けて表現する）から、前記個々の髪型形状に合わせた毛流れ形状のシワ加工が形成されており、更に前記毛流れ形状のシワ加工には凹凸部分があり、前記凹凸部分の布のシワをなくす様に前記布のシワどうしを合わせて、前記毛流れ形状に結合形成することにより、（例えば、前記毛流れ形状の結合部を縫い目で表現するとは、従来の帽子等には無かった製法である。本案件で考案された前記毛流れ製法であり、今後多くの髪型帽子に対応できる。）前記凹凸部分の布のシワをなくす様にも構成できることを特徴とする髪型帽子である。
【手続補正１３】
【補正対象書類名】明細書
【補正対象項目名】００２５
【補正方法】変更
【補正の内容】
【００２５】  実施例９、前記人の頭部に被せる布は、前記人の髪型を模した個々の髪型形状に合わせた毛流れ状の色彩、又は模様を印刷、又は描かれており、医療面、（特に、医療面に役立つためには、精神的な面にも寄り添えられることが大切です。前記髪型を模した髪型形状の前記人の頭部に被せる布の符号Ｃと符号Ｅの長さは変えられる形状であり、合わせて毛流れ模様も老若男女に合わせた色彩、模様を印刷または描くことにより、個々の人に適した模様等を提供でき被る楽しさも増える。髪の毛のカツラとは違う他人に偽らなくてもよい、周知さえできる。前記髪型帽子ができたことにより、個々の状況により使用される方の選択の幅を増やすことができた。頭部で悩んでいる方に寄り添えられたり精神面も支えられるお手伝いができる。）ファッション業界（個々に必要とされる色彩、模様を印刷、又は描くことによりファッション業界のファッション髪型帽子に関しても提案できる。髪型に関しては、世界の歴史を見てもその時代を象徴できる髪型があり、歴史を振り返るためのキーワードでもあり、歴史背景として常に重きが置かれている関心事である。本案件の髪型帽子の創作活動においてはこの髪型に重きをおいている。今後、素晴らしいデザインを医療面と共にファッション業界にも提案し、歴史に残る髪型帽子を提供できると考えます。）その他に特化した毛流れ状の色彩、又は模様を印刷、又は描くことにより、従来の帽子等にはない前記毛流れ状の色彩、又は模様を印刷、又は描くことによるコンセプトを提供できることを特徴とする髪型帽子である。